(57)【要約】心室内に固定されて心室を生産部分と非生産部分とに分割する分割装置であって、心室容積を減少させるための分割装置が記載されている。ここに記載される分割装置は、強化膜を含み、該分割装置を心腔の壁に密封することによって、例えば前記装置の周囲の膨張可能な要素を膨張させることによって心腔内に固定される。これらの装置によって形成される非生産部分の領域の全部又は一部の領域は、容器又はバッグ内に閉じ込められる。非生産部分は、閉塞材料（例えば血管閉塞コイル）を含む材料で充填される。ここで記載された前記装置によって形成される非生産部分の密封及び／又は充填は、非生産領域からの漏れを防止するのに役立つ。ここではまた、これらの装置及び該装置を使用する方法を含むシステムであって、心臓疾患患者、特に鬱血性心不全患者を治療するのに適しているシステムが記載される。
2012523267.tif 000002
【特許請求の範囲】
【請求項１】
患者の心室を生産部分と非生産部分とに分割するための装置であって、
患者の心室に及ぶ大きさの膜及び膜支持フレームであって、該膜支持フレームが、折り畳まれた形状及び拡張された形状を有するように構成される複数の支持支柱を有する膜及び膜支持フレームと、
前記膜の周囲から延在する少なくとも１つの固定要素と、
前記心室の壁に対して前記膜の周辺部を密封するように構成される前記膜の周辺部にある膨張可能な密封バルーン要素と、
を備えていることを特徴とする装置。
【請求項２】
前記膨張可能な密封バルーン要素は、前記膜の周囲のあたりに実質的に延在することを特徴とする請求項１に記載の装置。
【請求項３】
前記膜の周囲のあたりに複数の膨張可能な密封バルーン要素をさらに備えていることを特徴とする請求項１に記載の装置。
【請求項４】
前記膨張可能なバルーン要素を給送装置のチャンネルに接続するように構成される膨張ポートをさらに備えていることを特徴とする請求項１に記載の装置。
【請求項５】
前記膨張可能な要素に流体接続される膨張弁をさらに備えていることを特徴とする請求項１に記載の装置。
【請求項６】
前記固定要素が、組織貫通先端部を有していることを特徴とする請求項１に記載の装置。
【請求項７】
前記装置に固定されるとともに、前記装置が患者の心室内に展開されるときに被験者の心室の非生産部分に配置されるように構成される容器をさらに備えていることを特徴とする請求項１に記載の装置。
【請求項８】
患者の心臓の心室を生産部分と非生産部分とに分割するための装置であって、
患者の心室に及ぶ大きさの膜及び膜支持フレームであって、折り畳まれた形状及び拡張された形状を有するように構成される膜及び膜支持フレームと、
前記膜を前記心室の壁に固定するように構成される前記膜の周辺部にある少なくとも１つの固定要素と、
前記装置に固定されるとともに、前記装置が被験者の心室内に展開されるときに被験者の心室の非生産部分に配置されるように構成される容器と、
を備えていることを特徴とする装置。
【請求項９】
前記容器は、前記膜に固定されていることを特徴とする請求項８に記載の装置。
【請求項１０】
前記容器は、前記膜の周辺部から延在することを特徴とする請求項８に記載の装置。
【請求項１１】
前記容器は、前記心室壁に実質的に適合するように構成されていることを特徴とする請求項８に記載の装置。
【請求項１２】
前記容器は、バッグとして構成されていることを特徴とする請求項８に記載の装置。
【請求項１３】
前記容器は、拡張可能であることを特徴とする請求項８に記載の装置。
【請求項１４】
前記容器は、柔軟性のある材料から作られていることを特徴とする請求項８に記載の装置。
【請求項１５】
前記容器は、液体で充填されるように構成されていることを特徴とする請求項８に記載の装置。
【請求項１６】
前記容器は、１つ又は複数のコイルで充填されるように構成されていることを特徴とする請求項８に記載の装置。
【請求項１７】
前記容器の中へアクセスできるようにする弁をさらに備えていることを特徴とする請求項８に記載の装置。
【請求項１８】
前記弁は、前記容器を前記心室からの血液で受動的に充填することができるように構成される一方向弁であることを特徴とする請求項１７に記載の装置。
【請求項１９】
中心ハブをさらに備えていることを特徴とする請求項８に記載の装置。
【請求項２０】
ステムをさらに備えていることを特徴とする請求項８に記載の装置。
【請求項２１】
前記ステムは、前記容器内に配置されていることを特徴とする請求項２０に記載の装置。
【請求項２２】
患者の心臓の心室に分割装置を適用するためのアプリケータであって、
近位端と遠位端とを有する細長いシャフトと、
前記シャフトの近位端にある展開膨張ポート及び密封膨張ポートと、
少なくとも１つの前記ポートと流体連通する内側内腔と、
前記分割装置を固定及び解除するように構成される前記細長いシャフトの遠位端にある解除可能な固定要素と、
前記細長いシャフトの遠位端にある膨張可能な部材であって、前記展開膨張ポートと流体連通する内部を有する膨張可能な部材と、
前記密封膨張ポートと流体連通する前記細長いシャフトの遠位端に近接した密封膨張インターフェースであって、前記分割装置の膨張可能な密封要素に連結するように構成される密封膨張インターフェースと、
を備えていることを特徴とするアプリケータ。
【発明の詳細な説明】
【技術分野】
【０００１】
（関連出願の相互参照）
なし。
【０００２】
本願は、２００３年５月１２日出願の「Ｓｙｓｔｅｍ  ｆｏｒ  Ｉｍｐｒｏｖｉｎｇ  Ｃａｒｄｉａｃ  Ｆｕｎｃｔｉｏｎ」という名称の米国特許出願第１０／４３６９５９号と、２００５年６月１０日出願の「Ｐｅｒｉｐｈｅｒａｌ  Ｓｅａｌ  ｆｏｒ  ａ  Ｖｅｎｔｒｉｃｕｌａｒ  Ｐａｒｔｉｔｉｏｎｉｎｇ  Ｄｅｖｉｃｅ」という名称の米国特許出願第１１／１５１１６４号とに関連する。
【０００３】
（参照による取り入れ）
本明細書において言及された全ての刊行物及び特許出願は、個々の刊行物又は特許出願が参照することにより取り入れられることを具体的に且つ個別に示すように、同一程度まで全体として参照することにより本明細書に取り入れられる。
【０００４】
本明細書に記載された装置、システム及び方法は、概括的には心臓疾患、特に鬱血性心不全の治療に関し、さらに具体的に言えば、患者の心腔を分割するための装置、システムおよび方法、並びに治療装置を給送するためのシステムに関する。
【背景技術】
【０００５】
鬱血性心不全（ＣＨＦ）は、心臓、特に左心室の進行性肥大を特徴とし、米国において死および廃疾の主要な原因となっている。米国だけで年間およそ５５０，０００件の新規症例が発生している。患者の心臓が拡大すると、各々の心拍で効率的に血液を前方へ送り出すことができない。そのうちに、心臓は、ポンプとして役に立たなくなり身体に血液を適切に供給することができなくなるほどに大きくなる。健康な心臓でも、患者の左心室における血液の何パーセントかだけが１回の心拍動の間に心室から送り出される、あるいは排出される。一般に「駆出率」と呼ばれる送り出される割合は、一般に健康な心臓において約６０％である。鬱血性心不全を伴う患者では、４０％未満、ときにそれよりはるかに低い駆出率となることがある。そのような低い駆出率の結果、鬱血性心不全を伴う患者は疲労し、運動を必要とする単純な仕事さえ行うことができず、苦痛や不快を経験する。さらには、心臓が拡大すると、僧帽弁などの内部の心臓弁が適切に閉鎖することができなくなる。僧帽弁が機能不全になると、左心室から左心房への血液の逆流を生じ、血液を順方向に送り出す心臓の能力がさらに低下する。
【０００６】
鬱血性心不全は、ウイルス性感染症、機能不全の心臓弁（例えば、僧帽弁）、心臓壁における虚血状態などの様々な条件やこれらの条件の組合せから起こり得る。冠状動脈の虚血や閉塞が長く続くと、心室壁の心筋組織が死んだり瘢痕組織になったりする可能性がある。心筋組織が一旦死ぬと、収縮性が低下し（場合によっては、非収縮性となり）、心臓のポンプ作用にもはや寄与しなくなる。これは、運動低下又は運動不能と呼ばれる。病気が進行するにつれて、障害が起きた心筋層の局所的部位が心臓の収縮期に膨れ上がり、心臓の血液送出能力をさらに低下させ、駆出率をさらに減少させる。この場合、心臓壁は、運動障害と呼ばれる。心臓壁の運動障害領域は広がり、最終的に動脈瘤を形成する。
【０００７】
鬱血性心不全にかかっている患者は、通常、クラスI、II、IIIおよびIVの４つのクラスに分けられる。初期段階、すなわちクラスIおよびIIにおいては、目下のところ薬物療法がもっとも一般的な治療法である。薬物療法は、一般に、病気の症状を治療してその病気の進行を遅らせることができるが、その病気を治すことはできない。現在、鬱血性心不全のための唯一の恒久的治療法は心臓移植であるが、心臓移植処置は危険性が非常に高く、またきわめて侵襲性が高く高価であり、実施される患者の割合は小さい。多くの患者は、多数の資格基準のうちのいずれかを満たさないために心臓移植の資格を有さず、さらに、資格を満たすＣＨＦ患者の要求に適した移植のために利用できる心臓が十分に存在しない。
【発明の概要】
【発明が解決しようとする課題】
【０００８】
鬱血性心疾患の代替的治療法を発見するために多くの努力がなされてきた。例えば、心臓の容積を低減するために、心室壁の弱くなった部分を切り裂いて取り除く外科的処置が開発されている。この処置は、侵襲性が高く、危険かつ高価であり、一般には他の処置（例えば、心臓弁の交換または冠状動脈のバイパス移植など）と併用して行われているに過ぎない。さらに、外科的治療は、通常はクラスIII及びIVの患者にのみ提案されるので、薬物治療が効果を現さない大部分の患者にとっての選択肢とはなっていない。最終的に前記処置が不調に終わると、現在のところ利用可能な選択肢は緊急心臓移植だけである。
【０００９】
鬱血性心疾患を治療するための中間処置として機械的補助装置が開発されている。前記装置は、左心室補助装置及び完全人工心臓を含む。左心室補助装置は、左心室から大動脈への血流を増加させるためのメカニカルポンプを備えている。ジャービック心臓などの完全人工心臓は、通常、患者が移植のためのドナー心臓を待っている間に一時的な措置として使用されるに過ぎない。
【００１０】
近年、心臓の両心室の収縮を調和させるために心臓の両側にペーシングリードを移植することによってＣＨＦ患者の治療における改善が行われている。この技術は、血行力学的能力を改善することが示され、右心室から患者の肺への駆出率および左心室から患者の大動脈への駆出率の増加を結果として得ることができる。この処置によってＣＨＦの症状の軽減をもたらすことに成果が得られるとともに病気の進行を遅らせることが判明しているが、病気そのものを止めることはできず、心室同期不全の患者にのみ適用されている。
【００１１】
ＣＨＦを治療するための他の試みとして、更なる有害なリモデリングを防止するために心臓の周囲に配置される人工弾性ソックスなどの弾性支持体の使用がある。
【００１２】
本明細書には、心臓容積を低減する、あるいは心収縮を修正する装置と関連する多くの問題に対処する心室分割装置が記載されている。特に、本明細書に記載される装置、システムおよび方法は、潜在的血栓形成材料の漏れ又は放出を回避するような方法で心室の容積を低下させることができる。
【課題を解決するための手段】
【００１３】
本発明は、心疾患、特に鬱血性心不全（ＣＨＦ）の患者の治療における心室分割装置およびシステム、並びに心室分割装置を使用する方法に指向されている。具体的には、本明細書に記載される前記装置は、患者の心臓の心室を一次生産部分と二次非生産部分とに分割し、その２つの部分の間に密封を形成する。幾つかの変形例では、前記装置は、非生産部分に適合するように構成される別個の心室を有する。分割することによって心腔の全容積を低減し、患者の心臓壁の弱くなった組織に適用されるストレスを低減し、この結果、心臓の駆出率を改善する。さらに、前記装置の拡張性は、患者の心臓の拡張機能を改善する。
【００１４】
一般に、本明細書に記載される分割装置は、患者の心腔内に固定されたときに分割された心腔の一次生産部分を部分的に規定する凹状の受圧面を備えた強化分割構成部分を有する。強化分割構成部分は、受圧面を形成する柔軟性のある膜を有し得る。分割構成部分は、複数のリブから形成された半径方向に拡張可能なフレーム構成部分によって強化される。拡張可能なフレームのリブは、好ましくは中心ハブに固定される固定遠位端と、自由近位端とを有する。リブの遠位端は、リブの自由近位端が中心線軸から離れて半径方向へ自己拡張することを容易にするように中心ハブに固定される。リブの遠位端は、ハブに枢動可能に取り付けられて外側に付勢される、又はハブに固定される。リブは、好ましくは、超弾性ＮｉＴｉ合金などの材料から形成され、該材料は、リブの自由近位端を中心線軸の方へ圧縮して、給送や自己拡張、患者の心腔内での解除時に拡張形状に展開する解除時の自己拡張のための収縮形状にすることができる。
【００１５】
リブの自由端は、分割構成部分の周辺縁部を心臓壁に固定するために分割すべき心腔内膜組織と係合する、好ましくは貫通するように、かつ、所望の方法で心腔を分割するために心腔内に分割構成部分を固定するように構成される。組織貫通近位先端部は、分割装置の中心線軸と略直交する角度で組織内膜を貫通するように構成される。リブの組織貫通近位先端部は、その先端部が心臓壁から引き抜かれることを防止するさかとげ、フックなどを備えていてもよい。
【００１６】
本明細書に記載される分割装置はまた、心臓壁に対して（心臓壁に離れて固定され得る）前記装置を密封するように構成される１つの密封要素（又は複数の密封要素）を含むことができる。例えば、前記装置は、膜を心臓壁に対して密封するために膜の外側縁部あるいは周辺又はその近くにおいて少なくとも１対の隣接するリブの間に延在する１つ又は複数のストランド（ｓｔｒａｎｄ）、膨潤性パッド、膨張可能なバルーンまたは同種のものなどの拡張部材を含む。例えば、密封要素は、分割装置が膜周辺と心臓壁の内膜との間の適切な密封を確保するために拡張形状にあるときに柔軟性のある膜周辺に圧力を及ぼすことができる。一実施形態では、１つ又は複数のストランドは、各リブ対の間の膜の柔軟性のある周辺が心臓壁に対して効果的に密封されるように膜の周辺全体のまわりに基本的に延在する。１つ又は複数の拡張ストランドは、膜の柔軟性のある支持されていない材料より硬い材料から形成され、分割装置のリブが少なくとも一部縮められた形状にあるときに内側に向けられた折り目又はしわの形成を防止するために外側への拡張力又は推力を付与する。好適な１つ又は複数のストランドは、ポリプロピレン縫合糸又は超弾性ＮｉＴｉ合金線などの材料から形成される。前記ストランドは、一般に、完全に拡張していない形状にある膜の周辺のまわりなどの円形位置に配置される場合に必要な外側への拡張力を付与するように直径が約０．００５〜約０．０３インチ（０．１３〜０．７６ｍｍ）である。
【００１７】
別の実施形態では、拡張可能なパッドは、リブの隣接する対の間に設けられ、体液に触れて膨れるように構成され、前記のように、分割装置のリブが少なくとも一部縮められた形状にある場合に、内側に向けられた折り目又はしわの形成を防止するために外側への拡張力又は推力を付与する。好ましくは、パッドは、膨張親水性発泡体から作られる。好適な膨潤性材料は、コラーゲン、ゼラチン、ポリ乳酸、ポリグリコール酸、ポリ乳酸とポリグリコール酸との共重合体、ポリカプロラクトン、それらの混合物並びに共重合体を含む。他の好適な膨潤性生体吸収性高分子材料を使用してもよい。多様な治療薬又は診断薬を給送するために拡張可能なパッドを形成してもよい。
【００１８】
幾つかの変形例においては、拡張形状にあるリブは一般に、ハブから外側へある角度に曲げられ、自由近位端は、拡張したフレームのリブに固定された膜がトランペット形の受圧面を形成するように外側に湾曲している。
【００１９】
拡張形状にある分割膜は、中心線軸から測って約１０〜約１６０ｍｍ、好ましくは約２５〜約５０ｍｍの半径方向寸法を有する。膜は、好ましくは延伸ポリテトラフルオロエチレン（ｅＰＴＦＥ）などの柔軟性のある材料又は繊維から形成される。
【００２０】
分割装置は、前記装置のリブが心腔壁に対して外側への力を加えるように分割装置が展開される心腔に対して大きめに設計される。分割装置が給送のために折り畳まれるとき、外側へ付勢された１つ又は複数のストランドは、内側に向けられた折り目又はしわが存在せず、分割装置が心腔内で展開するために拡張されるときに何も形成されないことを確保する。
【００２１】
ある分割装置の設計では、１つ又は複数の拡張ストランドの自由端が、分割装置と共に、又は分割装置に固定される。また、別の装置の設計では、１つ又は複数の拡張ストランドは、その一方又は両方の自由端が分割装置の折り畳み及び回収を容易に行うために患者の外側に延在するように十分長く形成される。患者の外側へ延在するストランドの自由端を引っ張ることにより、前記装置の折り畳みへ分割装置の拡張部分、すなわちリブ及び膜を閉じ、このような引っ張りによって折り畳まれた分割装置をガイドカテーテル又は他の収集装置の内側内腔に引き入れる。
【００２２】
強化分割構成部分は、心腔内で分割装置を支持するために心臓壁面まで遠心に延在するように構成される長さを有する支持構成部分又はステム（stem）を有する。例えば、支持構成部分は、心臓壁の組織、特に心筋梗塞（ＭＩ）及び同種のものの組織などの損なわれた又は壊死の組織への即時又は長期の損傷を回避するために分割装置の前記力を心室壁面の領域のまわりに分配する複数の、好ましくは少なくとも３つのポッド又は脚部を有する。支持構成部分のポッドは、半径方向に延在し、好ましくは心室面の拡張領域に亘って前記力を分配するのを助ける支柱又は平面によって相互接続される。
【００２３】
本明細書に記載される分割装置のいずれも、経皮的に又は外科手術中に給送される。従って、分割装置を給送するための給送方法及び装置がまた、本明細書に記載されている。例えば、使用される１つの給送カテーテルは、細長いシャフトと、前記シャフトの遠位端に分割装置を保持するための前記シャフトの遠位端にある解除可能な固定装置と、受圧面によって形成される凹部の内部を押圧し、分割装置の周囲にある組織貫通先端部又は要素が心臓壁の中へ十分に貫通することを確保し、心腔を効果的に分割するように所望の位置に分割装置を保持するように遠位端の近位に位置する前記シャフトの遠位部にある膨張可能なバルーンなどの拡張可能な部材と、を有している。例えば、好適な給送装置の一変形例が、２００４年８月５日に出願されて現在の譲受人に譲渡された同時係属出願番号１０／９１３６０８号に記載されている。
【００２４】
例えば、本明細書には、患者の心室を生産部分と非生産部分とに分割するための装置であって、患者の心室に及ぶ大きさの膜及び膜支持フレームであって、該膜支持フレームが、折り畳まれた形状及び拡張された形状を有するように構成される複数の支持支柱を有する膜及び膜支持フレームと、膜の周囲から延在する少なくとも１つの固定要素と、心室の壁に対して膜の周辺部を密封するように構成される膜の周辺部にある膨張可能な密封要素と、を備えている装置が記載されている。
【００２５】
一般に、膨張可能な密封要素は、膨潤性密封要素を含む。膨潤性密封要素は一般に、小さい外形から（膨らんだ又は膨張した）大きい外形へ膨張する。本明細書に記載される膨張可能な密封要素のいずれも、心腔の壁に対して前記装置の膜を固定及び／又は密封するために拡張する拡張部材と考えることができる。幾つかの変形例では、膨張可能な密封要素は、膜の周囲のあたりに環状に延在する。例えば、膨張可能な密封要素は、支持支柱間に延在する複数の膨張可能な密封要素である。
【００２６】
膜支持フレームは、拡張された形状において凹部を形成するように構成することができる。
【００２７】
本明細書に記載される前記装置のいずれもまた、前記装置が被験者の心室内で展開されるときに非生産部分へのアクセスを可能にするように構成される弁を含むことができる。幾つかの変形例では、前記弁は、一方向弁からなる。
【００２８】
膜は、少なくとも一部が柔軟性のある材料から形成することができる。
【００２９】
本明細書に記載される前記装置はまた、膨張可能な密封要素に流体接続される膨張弁を含むことができる。
【００３０】
膨張可能な密封要素は、あらゆる適切な材料から形成することができる。特に、膨張可能な密封要素は、生体吸収性材料から形成することができる。幾つかの変形例では、生体吸収性材料は、コラーゲン、ゼラチン、ポリ乳酸、ポリグリコール酸、ポリ乳酸とポリグリコール酸との共重合体、ポリカプロラクトン、それらの混合物並びに共重合体からなる群から選択される。
【００３１】
本明細書に記載される分割装置のいずれもまた、膜支持フレームが固定される中心ハブ、及び／又は、心腔の一部である非生産部分を規定する心腔の領域に係合するように構成される非外傷性遠位先端部を有するステム、を含むことができる。固定要素は、留め具であってもよく、組織を貫通していてもよい。例えば、固定装置は、組織貫通先端部を有する。１つ又は複数の固定要素は、外側へ湾曲する。
【００３２】
幾つかの変形例では、分割装置はまた、前記装置が心室に挿入されるとすぐに充填され得る前記装置に固定される１つ又は複数の容器を含む。例えば、前記装置は、前記装置に固定されるとともに前記装置が被験者の心室に展開されるときに被験者の心室の非生産部分に配置されるように構成される容器を含む。容器は、柔軟性のある壁を有するバッグであってもよく、又は、剛壁又は半柔軟性のある壁を有してもよい。容器は、崩壊され得る又は折り畳み可能である。幾つかの変形例では、支持フレームに接続される膜は、容器の壁又は一部を形成する。従って、容器は、膜及び／又は支持フレームから遠位に延在し、その結果、前記装置が展開されるときに心室の非生産部分に配置することができる。前記装置の一部は、容器内に収容される。例えば、ステム部分、脚部分などは、容器内に配置される。容器は、拡張可能である。例えば、容器は、柔軟性又は伸縮性のある繊維からなる。容器は、流体又は固体を保持するように構成される。従って、幾つかの変形例では、容器は、流体密封するように構成される。幾つかの変形例では、容器は、塩水、血液などの流体で充填され得る。別の変形例では、容器は、透過性又は半透過性であってもよい。
【００３３】
また、本明細書には、心臓疾患を有する又は心臓疾患の危険性がある患者を含む患者を治療する方法が記載されている。前記方法は、以下のステップ、すなわち、収縮された分割装置を患者の心室の中へ経皮的に前進させるステップと、分割装置を心室内で展開形状に拡張するステップと、心室を生産部分と非生産部分とに分割して生産部分と非生産部分との間の連通を防止するために拡張された分割構成部分を心室壁に対して密封するステップと、を含む。
【００３４】
前記方法はまた、非生産部分を充填するステップを含んでいてもよい。例えば、非生産部分は、ポリ乳酸、ポリグリコール酸、ポリカプロラクトン及び共重合体並びに混合物などの生体吸収性充填材で充填される。幾つかの変形例では、充填材は、コイル（血管閉塞コイル）又は同種のものなどの閉塞材料である。充填材は好適には、ジメチルスルホキシド（ＤＭＳＯ）などの好適な溶媒内に供給される。非反応性充填材に加えて組織増殖又は血栓を加速する他の材料が非生産部分に配置することができる。
【００３５】
密封ステップは、密封要素を分割装置から心室壁に対して拡張することを含む。密封ステップは、密封要素を備えた心臓壁の方へ膜を付勢するステップを含んでいてもよい。例えば、拡張ステップは、密封要素を膨張することを含む。幾つかの変形例では、密封要素は、（例えば、空気又は他の流体を加えることによって）能動的に拡張することができる、あるいは（例えば、膨張可能にすることによって）受動的に拡張することができる。
【００３６】
本明細書にはまた、患者を治療する方法であって、以下のステップ、すなわち、収縮された分割装置を患者の心室の中へ経皮的に前進させるステップと、分割装置を心室内で展開形状に拡張するステップと、心室を生産部分と非生産部分とに分割するために拡張された分割装置を心室壁に固定するステップと、充填材料を非生産部分に加えるステップと、を有する患者を治療する方法が記載されている。
【００３７】
幾つかの変形例において、充填材料を加えるステップは、分割装置に弁を通じて材料を適用することを含む。弁は、一方向弁であり得る。前記材料は、アプリケータ（applicator）のチャンネル（channel）を通じて適用することができる。例えば、アプリケータは、前記装置上の弁又は前記装置の中の弁と係合することができる。幾つかの変形例では、前記装置は、受動的に充填される。例えば、１つ又は複数の弁は、前記装置の後方へ血流の侵入を可能にするが、血液（又はあらゆる血栓）が弁の後方へ非生産空間から出ることを防止する。従って、充填材料を加えるステップは、受動的に血液が前記装置上の弁を通じて分割装置の区画部分を充填することを可能にすることを含む。
【００３８】
幾つかの変形例では、充填材料を加えるステップは、弁を通じて分割装置の区画部分の中に充填材料を加えることを含む。前述したように、前記区画は、流体、固体、あるいはそれらの組合せを含むあらゆる適切な充填材料で充填される。例えば、充填材料を加えるステップは、１つ又は複数のコイルを非生産部分に適用することを含む。前記コイル（例えば血管閉塞コイル）又は他の充填材料が、分割装置の区画部分に加えられる。充填材料を加えるステップは、塩水を分割装置の区画部分に適用することを有する。
【００３９】
本明細書にはまた、患者の心臓の心室に分割装置を適用するためのアプリケータが記載されている。アプリケータは、近位端と遠位端とを有する細長いシャフトと、前記シャフトの近位端にある展開膨張ポート及び前記ポートと流体連通する内側内腔と、分割装置を固定及び解除するように構成される細長いシャフトの遠位端にある解除可能な固定要素と、細長いシャフトの遠位端にある膨張可能な部材であって、展開膨張ポートと流体連通する内部を有し、分割装置の膜を拡張するように構成される膨張可能な部材と、細長いシャフトの遠位端に近接した充填インターフェース（interface）であって、分割装置の弁を通じて充填材料を適用するように構成される充填インターフェースと、を含む。
【００４０】
患者の心室を生産部分と非生産部分とに分割するための前記装置の１つの特有の変形例では、バルーン要素である膨張可能な密封要素を含む。例えば、本明細書には、患者の心室を生産部分と非生産部分とに分割するための装置が記載されている。前記装置は、膜と、患者の心室に及ぶ大きさの膜及び膜支持フレームであって、該膜支持フレームが、折り畳まれた形状及び拡張された形状を有するように構成される複数の支持支柱を有する膜及び膜支持フレームと、膜の周囲から延在する少なくとも１つの固定要素と、心室の壁に対して膜の周辺部を密封するように構成される膜の周辺部にある膨張可能な密封バルーン要素とを有する。
【００４１】
前述したように、膨張可能な密封バルーン要素は、膜の周囲のあたりに実質的に延在する。幾つかの変形例では、分割装置は、支持支柱間に延在する複数の膨張可能な密封バルーン要素を含む。
【００４２】
分割装置はまた、膨張可能な密封バルーン要素を給送装置のチャンネルに接続するように構成される膨張ポートを含むことができる。前記装置はまた、膨張可能な密封要素に流体接続される膨張弁を含む。
【００４３】
前述したように、分割装置の１つ又は複数の固定装置は、組織貫通先端部を有することができる。
【００４４】
これらの分割装置はまた、前記装置に固定されるとともに前記装置が患者の心室に展開されるときに被験者の心室の非生産部分に配置されるように構成される容器を含むことができる。
【００４５】
本明細書にはまた、患者の心臓の心室を生産部分と非生産部分とに分割するための装置であって、患者の心室に及ぶ大きさの膜及び膜支持フレームであって、折り畳まれた形状及び拡張された形状を有するように構成される膜及び膜支持フレームと、膜を心室の壁に固定するように構成される膜の周辺部にある少なくとも１つの固定要素と、前記装置に固定されるとともに前記装置が被験者の心室に展開されるときに被験者の心室の非生産部分に配置されるように構成される容器とを含む装置が記載されている。容器は、膜に固定される。幾つかの変形例では、膜は、容器の壁又は一部を形成する。容器は、膜の周辺部から延在する。
【００４６】
容器は、心室壁に実質的に適合するように構成される。例えば、容器は、心室の非生産部分の心室壁の全部又は一部に接触するように充填可能である。幾つかの変形例では、容器は、バッグとして構成される。
【００４７】
前述したように、容器は、拡張可能であってもよく、あるいは固定容積を有していてもよい。容器は、柔軟性のある材料から作られる。幾つかの変形例では、容器は、１つ又は複数の剛壁を有する。容器は、透過性又は不透過性であってもよい。一般に、容器は、充填可能である。例えば、容器は、流体で充填されるように構成される。幾つかの変形例において、容器は、１つ又は複数のコイル、あるいは他の閉塞部材で充填されるように構成される。本明細書に記載される前記装置は、容器の中へアクセスできるようにする弁を含むことができる。例えば、弁は、容器の充填を許容するが、容器の排出を許容しないように構成される。従って、一変形例では、弁は、容器を心室からの血液で受動的に充填することができるように構成される一方向弁である。幾つかの変形例では、容器は、弁が排出を許容することができるように構成される。
【００４８】
本明細書に記載される分割装置の特徴のいずれも、容器を含む分割装置の一部として含まれる。例えば、前記装置は、中心ハブと、ステムと、脚部（例えば、無傷脚部）、又は同種のものなどを含む。幾つかの変形例では、前記装置は、これらの要素の１つ又は複数が容器に収容されるように構成される。
【００４９】
本明細書にはまた、患者を治療する方法であって、収縮された分割装置を患者の心室の中へ経皮的に前進させることと、分割装置を心室内で展開形状に拡張することと、心室を生産部分と非生産部分とに分割して生産部分と非生産部分との間の連通を防止するために拡張された分割構成部分を心室の壁に密封することと、心室の非生産部分に固定されるインプラント（implant）の容器部分を充填することと、を有する、患者を治療する方法が記載されている。
【００５０】
充填するステップは、容器部分を閉塞装置で、あるいは他の固体及び／又は液体材料、例えば塩水で充填することを含む。
【００５１】
本明細書にはまた、患者の心臓の心室に分割装置を適用するためのアプリケータであって、近位端と遠位端とを有する細長いシャフトと、前記シャフトの近位端にある展開膨張ポート及び密封膨張ポートと、前記ポートの少なくとも１つと流体連通する内側内腔と、分割装置を固定及び解除するように構成される細長いシャフトの遠位端にある解除可能な固定要素と、展開膨張ポートと流体連通する内部を有し、細長いシャフトの遠位端にある膨張可能な部材と、密封膨張ポートと流体連通する細長いシャフトの遠位端に近接した密封膨張インターフェースであって、分割装置の膨張可能な密封要素に連結するように構成される密封膨張インターフェースと、を有するアプリケータが記載されている。
【００５２】
１つ又は複数の室を有する分割装置の別の変形例がまた、本明細書に記載されている。例えば、本明細書には、心室の室容積低減システムであって、該システムは、心室腔の一部に給送可能な容器本体を有し、該容器本体が、心室腔に給送されるときに第１形状から第２形状に拡張可能であるとともに、心室腔の壁に接触する組織表面と容器本体によって占有されていない心室腔の容積に面する露出表面とを有し、該露出表面が、心室腔を実質的に横切って及び、容器本体の第２形状が、心室腔の一部の壁と露出表面との間の心室腔の空間の実質的に全てを占有し、それによって、血流に曝される心室容積を低減する、心室の容積低減システムが記載されている。幾つかの変形例では、これらの装置はまた、露出表面に隣接した容器の側に配置される隔壁を含む。
【００５３】
前述したように、容器本体の第２形状は、心室腔の一部の壁と露出表面との間の心室腔の実質的に全ての空間を占有することができる。例えば、前記装置が材料で充填されるとき、前記装置の１つ又は複数の壁は、心室の非生産部分における心室の側面に接触する。
【００５４】
容器本体は、心室腔の壁に組織表面を取り付ける取付装置を含むことができる。例えば、容器本体は、１つ又は複数の留め具、フック、さかとげ又は同種のものを含む。幾つかの変形例では、容器本体は、心室腔の壁に組織表面を固定するために圧力を加える１つ又は複数の支柱又はアームを含む。幾つかの変形例においては、心室本体は、前記のように、膨張可能な部材を拡張又は膨張することによって心室腔の壁に対して密封される。膨張可能な部材は、容器と共に存在することができる。幾つかの変形例では、拡張可能な部材は、容器の外側に存在する。容器はまた、拡張可能及び／又は膨張可能である。
【００５５】
本発明の特徴を具体化する分割装置は、比較的容易に設置することができ、疾患のある心臓の治療を実質的に改善することができる。従って、患者の疾患のある心臓のより正常な拡張及び収縮運動を実現することができる。付随して、患者の心腔の駆出率における増大を得ることができる。本発明のこれら及びその他の利点は、以下の発明の詳細な説明と添付する例示的図面からより明らかとなろう。
【図面の簡単な説明】
【００５６】
【図１】本発明の特徴を具体化する分割装置の拡張形状にある正面図である。
【図２】図１に示す前記分割装置の平面図であり、前記装置の上面を示している。
【図３】図１に示す前記分割装置の底面図である。
【図４】図１に示す前記装置の遠位に延在するステムの非外傷性先端部の斜視図である。
【図５】図２に示す５−５線に沿った分割装置のハブの部分断面図である。
【図６】図５に示す６−６線に沿ったハブの横断面図である。
【図７】図１に示す分割装置の周囲にある強化リブ及び膜の部分縦断面図である。
【図８】図１及び図２に示す分割装置が取り付けられた給送システムの概略部分断面立面図である。
【図９】図８に示す９−９線に沿った給送システムの横断面図である。
【図１０】図８に示す給送システムの螺旋コイルに固定される図５に示すハブの部分断面立面図である。
【図１１Ａ】患者の心腔（左心室）を一次生産部分と二次非生産部分とに分割するために図８に示す給送システムを備えた図１及び図２に示す分割装置の展開を示す患者の左心室腔の概略図である。
【図１１Ｂ】患者の心腔（左心室）を一次生産部分と二次非生産部分とに分割するために図８に示す給送システムを備えた図１及び図２に示す分割装置の展開を示す患者の左心室腔の概略図である。
【図１１Ｃ】患者の心腔（左心室）を一次生産部分と二次非生産部分とに分割するために図８に示す給送システムを備えた図１及び図２に示す分割装置の展開を示す患者の左心室腔の概略図である。
【図１１Ｄ】患者の心腔（左心室）を一次生産部分と二次非生産部分とに分割するために図８に示す給送システムを備えた図１及び図２に示す分割装置の展開を示す患者の左心室腔の概略図である。
【図１１Ｅ】患者の心腔（左心室）を一次生産部分と二次非生産部分とに分割するために図８に示す給送システムを備えた図１及び図２に示す分割装置の展開を示す患者の左心室腔の概略図である。
【図１２】患者の心腔内で展開された図１１Ｅに示す前記装置の概略平面図である。
【図１３】患者の心腔内で展開した後の拡張ストランドのない図１に示す前記分割装置の概略平面図である。
【図１４】強化膜の周囲において拡張ストランドの自由端を引っ張ることから生じる収縮形状にある図１及び図２に示す分割装置の部分概略図である。
【図１５】受入カテーテルの中への分割装置の引き込みを容易にするために受入カテーテルの拡張した遠位端へ引き入れられる図１４に示す収縮された前記装置の概略図である。
【図１６】受入カテーテルの内側内腔へ更に引っ張られる図１４に示す収縮された前記装置の概略図である。
【図１７】心臓壁に対して隣接リブ間の膜を押圧するために隣接リブ間に配置される膨潤性パッドを有する別の分割装置の底面の斜視図である。
【図１８】分割装置のリブに固定される２つの膜層間に配置される膨潤性パッドの断面図である。
【図１９Ａ】人間の心臓内に挿入されたカテーテルを備えた人間の心臓の垂直断面図である。
【図１９Ｂ】心臓装置の設置を示す人間の心臓の垂直断面図である。
【図１９Ｃ】心臓装置の設置を示す人間の心臓の垂直断面図である。
【図１９Ｄ】心臓装置の設置を示す人間の心臓の垂直断面図である。
【図１９Ｅ】心臓装置の設置及び除去を示す人間の心臓の垂直断面図である。
【図１９Ｆ】心臓装置の除去を示す人間の心臓の垂直断面図である。
【図１９Ｇ】心臓装置の除去を示す人間の心臓の垂直断面図である。
【図１９Ｈ】心臓装置の除去を示す人間の心臓の垂直断面図である。
【図１９Ｉ】心臓装置のその後の最終設置を示す人間の心臓の垂直断面図である。
【図１９Ｊ】心臓装置のその後の最終設置を示す人間の心臓の垂直断面図である。
【図１９Ｋ】心臓装置のその後の最終設置を示す人間の心臓の垂直断面図である。
【図２０Ａ】本発明の更なる実施形態に係る心臓装置の斜視図である。
【図２０Ｂ】図２０Ａの心臓装置の垂直断面図である。
【図２０Ｃ】図２０Ａの心臓装置が設置された人間の心臓の垂直断面図である。
【図２１Ａ】膨張可能なシールを有する分割装置の変形例を示す図であり、折り畳まれた（給送）形状にある前記装置を示している。
【図２１Ｂ】膨張可能なシールを有する分割装置の変形例を示す図であり、部分的に拡張された図を示している。
【図２１Ｃ】膨張可能なシールを有する分割装置の変形例を示す図であり、図２１Ａ及び図２１Ｂの前記装置の部分切欠図を示している。
【図２２Ａ】図２２Ｂに示すように、分割装置が心室腔に給送されるときに心室の非生産部分に配置されるように構成される容器を有する分割装置を示す図である。
【図２２Ｂ】分割装置が心室腔に給送されるときに心室の非生産部分に配置されるように構成される容器を有する分割装置を示す図である。
【図２３Ａ】容器部分を含む分割装置の別の変形例を示す底面斜視図である。
【図２３Ｂ】容器部分を含む分割装置の別の変形例を示す側面斜視図である。
【図２４Ａ】容器と該容器を充填するための弁付きポートの両方を有する分割装置の別の変形例を示す側面斜視図である。
【図２４Ｂ】容器と該容器を充填するための弁付きポートの両方を有する分割装置の別の変形例を示す上面図である。
【図２５Ａ】図２４Ａ及び図２４Ｂに示すものと同様の分割装置の操作を示す図である。
【図２５Ｂ】図２４Ａ及び図２４Ｂに示すものと同様の分割装置の操作を示す図である。
【図２６】弁付き容器を有する分割装置のための給送カテーテルを示す図である。
【図２７】図２６に示す給送カテーテルと同様の給送カテーテルの操作を示す図である。
【図２８】本明細書に記載されるような分割装置を移植する１つの方法を示す図である。
【図２９Ａ】分割インプラントを使用する方法の別の変形例を示す図である。
【図２９Ｂ】分割インプラントを使用する方法の別の変形例を示す図である。
【図２９Ｃ】図２９Ｂに示す変形例と同様の分割装置を操作する別の方法を示す図である。
【図３０Ａ】膨張可能な密封要素を含む分割装置の別の変形例を示す図である。
【図３０Ｂ】膨張可能な密封要素を含む分割装置の別の変形例を示す図である。
【図３０Ｃ】図３０Ａ及び図３０Ｂに示す前記装置の実施を示す図である。
【図３０Ｄ】図３０Ａ及び図３０Ｂに示す前記装置の実施を示す図である。
【図３１Ａ】前記装置を拡張するために使用される膨張可能な要素を含む分割装置の別の変形例を示す図である。
【図３１Ｂ】前記装置を拡張するために使用される膨張可能な要素を含む分割装置の別の変形例を示す図である。
【発明を実施するための形態】
【００５７】
分割装置、分割装置を含むシステム、及び被験者を治療するために分割装置を使用する方法が本明細書に記載されている。概括的に、本明細書に記載される前記分割装置は、心腔、特に心室腔を生産部分と非生産部分とに分割するように構成されている。これらの分割装置は、折り畳まれた形状において（例えば経皮的に）給送され、心室内で拡張されて心室内の適切な位置に固定され、それによって心室を分割することができる。本明細書に記載される前記分割装置は共に、（例えば、留め具、さかとげ、スパイクなどによって）心臓壁に固定し、（場合によっては別々に）心臓壁に対して密封する。心腔の壁への密封は、肉柱形成及び壁の不整の存在によって複雑にされる、あるいは困難にされる。従って、本明細書に記載される前記装置は、前記装置（例えば、前記装置の分割膜）を心臓壁に対して密封することを助けるように構成される１つ又は複数の密封要素を含む。
【００５８】
本明細書に記載される分割装置はまた、分割装置が展開された後に分割装置によって形成される非生産領域が充填されるように構成される。非生産部分を充填することは、漏れを防止し、また前記装置を適切な位置に固定することを助ける。以下に詳細に記載されるように、コイル、流体（塩水、血液など）又は同種のものなどの閉鎖材料を含むあらゆる適切な充填材料が使用される。
【００５９】
また、以下に、１つ又は複数の容器を含む分割装置の変形例が記載されている。容器は、区画、室、バッグ、又は同種のものとして呼ばれる。容器を含む分割装置は、心臓の中に（例えば、心室内に）展開され、その結果、容器部分が非生産領域の内部に存在する（又は少なくとも一部を形成する）。幾つかの変形例では、分割装置の一部は、容器内に収容される。容器は、充填され、あるいは充填可能であり、充填のための１つ又は複数のポートを含む。前記ポートは、弁が付けられ、容器が漏れないように一方向弁を有する。従って、容器は、流体密封される。容器は、（室の一部又は壁を形成し得る）前記装置の受圧膜に遠位に位置付けられ、非生産空間の全部又は大部分を充填することができる。幾つかの変形例では、室は、該室を心室の壁に固定するために留め具（例えば、フック、さかとげ、接着剤など）を含む。これらの留め具は、（例えば、受圧膜の周囲のあたりにある）前記装置の他の留め具又は固定要素に加えられ得る。
【００６０】
例えば、図１から図４は、分割装置１０の１つの変形例を示しており、該分割装置１０は、分割膜（例えば、受圧膜）１１と、好ましくは分割装置における中心に位置付けられたハブ１２と、半径方向に拡張可能な強化フレーム１３とを含み、分割膜１１は、図１に示すようにフレーム１３の近位側又は圧力側に固定される。リブ１４は、ハブ１２に固定される遠位端１５と、中心線軸から離れて湾曲状又はフレア状に構成される自由近位端１６とを有する。自由近位端１６の半径方向の拡張により、フレーム１３に固定された膜１１が広がり、その結果、この膜により、患者の分割された心腔の生産部分を部分的に規定する受圧面１７が与えられる。膜１１の周辺端部１８は、示されるように鋸歯状にされ得る。
【００６１】
この実施例では、前記装置は、膜の柔軟性のある材料の圧力側に圧力を加えて心室腔の壁に対して膜の周囲を効果的に密封するために、膜１１の圧力側において膜１１の周囲のあたりに延在する連続拡張ストランド１９である密封要素を含む。図２及び図３では、分割装置から離れて延在する拡張ストランド１９の端部２０及び２１が示されている。端部２０及び２１は、取り付けられていないままである、あるいは、例えば好適な接着剤又は膜自体によって共に固定される。詳細には示されていないが、膜１１は、２００４年８月５日に出願された同時係属の出願番号第１０／９１３６０８号に記載されるように、リブ１４の近位面に固定された近位層と、リブの遠位面に固定された遠位層とを有する。
【００６２】
図４及び図５に示すハブ１２は、非外傷性支持構成部分２２に接続する。支持構成部分２２は、ステム２３と、中心線軸から離れて半径方向に延在する複数のポッド又は脚部２４とを有し、脚部２４の端部は、隣接する脚部の間に延在する支柱２５に固定されている。（図示されていない）材料からなる面が、支柱２５に加えて又は支柱２５に代えて更なる支持を付与するために、蜘蛛の巣のような方法で隣接する脚部２４間に延在していてもよい。ステム２３の内径は、図８から図１０に示すように分割装置１０を給送カテーテルに固定するためにねじが切られている。
【００６３】
図５に示す変形例では、リブ１４の遠位端１５は、ハブ１２に固定され、図６に示すように、横方向に配置される連結バー２６は、無傷支持構成部分２２にハブ１２を固定するように構成されるハブ内に固定される。
【００６４】
図５及び図６に示すように、ハブ１２の連結バー２６は、分割装置１０を非外傷性支持構成部分２２に固定させること及び患者の心腔内で給送システムから開放させることを可能にする。強化リブ１４の遠位端１５は、好適な方法でハブ１２内に固定される、又は内側内腔を規定する表面に固定される、あるいはハブ１２の壁のチャンネル又は穴部内に配置される。リブ１４の遠位端は、リブが（図１及び図２に示すように）該リブに固定される膜１１による以外には拘束されない場合にリブの自由近位端１６が中心線軸から離れて約２０度から約９０度、好ましくは約５０度から約８０度である所望の角度変位まで拡張するように予め形作られる。拘束されない分割装置１０の直径は分割装置の展開位置において心腔の直径より大きく、その結果、外側への力が、心収縮及び心拡張の間に部分的に拡張されたリブ１４によって心腔の壁に加えられ、弾性フレーム１３が、心臓壁の運動を増大させる。
【００６５】
図７は、リブ１４の湾曲した自由近位端１６を示しており、該自由近位端は、心室腔を生産部分と非生産部分とに分割するために心腔の壁に係合して、好ましくは貫通して患者の心腔内で展開位置に分割装置１０を保持するように構成される鋭利な先端要素２７を備えている。
【００６６】
図８から図１０は、図１及び図２に示すような分割装置１０を患者の心腔の中へ給送し、図１１Ａから図１１Ｅに示すように心腔を分割するように分割装置を配置するための給送システム３０の１つの変形例を示している。この給送システム３０の実施例は、ガイドカテーテル３１と給送カテーテル３２とを含む。
【００６７】
ガイドカテーテル３１は、近位端３４と遠位端３５との間に延在する内側内腔３３を有する。給送カテーテル３２の外側シャフト３７のまわりを密封するために（図示されていない）止血弁がガイドカテーテル３１の近位端３４に設けられる。この実施例では、ガイドカテーテルは、ガイドカテーテル３１の近位端３４にフラッシュポート（flush port）３６を含み、該ポートは、内側内腔３３と流体連通している。
【００６８】
給送カテーテル３２は、近位端にアダプタ３８を備えた外側シャフト３７を有し、該アダプタは、シャフト３７の内部と流体連通する近位注入ポート３９を有する。図９にさらに詳細に示すように、外側シャフト３７は、外側シャフトの内部の中に配置されるとともに内側シャフトの長さに実質的に沿って延在するウェブ４３によって外側シャフト３７の内面に固定される内側シャフト４１を有する。注入ポート３９は、内側シャフト４１と外側シャフト３７との間でウェブ４２によって部分的に規定された通路４２とそれぞれ流体連通している。好ましくはハイポチューブ（例えば、ステンレス鋼又は超弾性ＮｉＴｉから形成される）から形成されるトルクシャフト４４が、内側シャフト４１の内側内腔４５内に配置され、アダプタ３８内に固定される近位端４６を有している。バルーン膨張ポート４７は、トルクシャフト４４の内側内腔４８と流体連通している。幾つかの変形例では、更なる通路が、給送カテーテル内に存在する。例えば、１つ又は複数の充填材（例えば、コイル、流体など）を備えた分割装置の後方の非生産領域を充填するために使用される充填通路が含まれる。幾つかの変形例において、更なる膨張内腔が、密封要素（例えば、密封バルーン）を膨張させるために設けられる。
【００６９】
トルクシャフト４４は、内側シャフト４１の内側内腔４５内に回転可能に配置され、回転ノブ４９に固定されている。螺旋コイルねじ５０が、トルクシャフト４４の遠位端５１に固定され、トルクシャフト４４の近位端４６におけるトルクノブ４９の回転により、ねじ５１が回転して分割装置１０の展開を容易に行うことができる。膨張可能なバルーン５３の近位端５２は、トルクシャフトの遠位端５１の近位にあるトルクシャフト４４のまわりに接着剤５４によって密封して固定される。バルーン５３は、トルクシャフト４４の内側内腔４８と流体連通する内部５５を有する。膨張流体が、トルクシャフト４４の内側内腔４８と流体連通するポート４７を通じてバルーン内部５５に給送され得る。この実施例では、バルーン５３の遠位端５６は、螺旋ねじ５０に接着剤５７によって密封して固定されている。バルーン５３の近位端５２及び遠位端５６は、バルーン５３の内部５５に給送された膨張流体の損失を防止するように接着剤５４及び５７によって閉鎖される。トルクシャフト４４の遠位端５１において流体排出ポート５８を通じた膨張流体の給送は、後述する図１１Ａから図１１Ｅに示すように、バルーン５３を膨張させ、次に、心腔６０の壁５９に分割構成部分１０を固定することを容易に行うように分割装置１０の近位表面に圧力を加える。
【００７０】
図１１Ａに示す実施例では、分割構成部分１０は、ガイドカテーテル３１と給送カテーテル３２とを含む給送システム３０を通じて給送される。分割構成部分１０は、ガイドカテーテル３１の内側内腔３３を通じて滑動可能に前進させることができるほどの小さな横寸法を有する第１の給送形状に折り畳まれる。好ましくは、ガイドカテーテル３１は、従来の方法で、事前に経皮的に導入され、所望の心腔６０まで患者の大腿動脈などの血管系を通じて前進させられる。分割構成部分１０が取り付けられた給送カテーテル３２は、分割構成部分１０がガイドカテーテル３１の遠位端から分割されるべき患者の心腔６０の中へ展開する準備ができるまで、ガイドカテーテル３１の内側内腔３３を通じて前進させられる。
【００７１】
図１１Ｂに示すように、ねじ５０に取り付けられた分割構成部分１０は、支持構成部分２２が心臓壁５９と係合するまで、ガイドカテーテル３２の内側内腔３３から更に外へ付勢される。リブ１４の近位端１６がガイドカテーテルの遠位端３５から出るまで、給送カテーテル３２が所定の位置に保持された状態でガイドカテーテル３１が引き抜かれる。図１１Ｃに示すように、リブ１４の自由近位端１６は外側に拡張し、心臓壁５９の内面を形成する組織に対し、好ましくは前記組織の中へリブ１４の鋭利な近位先端部２７を押圧する。
【００７２】
分割構成部分１０が心腔６０内に展開され、好ましくはそこに部分的に固定された状態で、膨張流体が、トルクシャフト４４の遠位端５１の膨張ポート５８を通じて導入され、膨張流体が、バルーン内部５４に向けられ、バルーン５３を膨張させる。膨張したバルーン５３は、分割構成部分１０の膜１１の受圧面１７に対して押圧し、図１１Ｄに示すように、鋭利な近位先端部２７が心臓壁５９の内面を形成する組織の中へ十分に押圧されることを確実にする。
【００７３】
幾つかの変形例では、分割装置は、図３０Ａから図３０Ｄを参照して以下にさらに詳細に記載されるように、前記装置を拡張する（又は拡張を支援する）ために使用される１つ又は複数の膨張可能な要素を含む。従って、アプリケータ（例えば、ガイド及び／又は給送カテーテル）は、膨張可能なバルーン５３を含んでいない。代わりに、アプリケータは、分割装置（例えば、その周囲）の膨張可能な要素に接続するためのコネクタを含んでいてもよい。
【００７４】
分割装置１０が心腔６０内に適切に位置決めされた状態で、（図８に示すように）トルクシャフト４４のノブ４９を反時計方向に回転させて、給送カテーテル３２の螺旋コイルねじ５０をハブ１２内に固定されたステム２３から係合解除する。トルクシャフト４４を反時計方向に回転させると、ハブ１２内に固定された連結バー２６に載る螺旋コイルねじ５０が回転する。螺旋コイルねじ５０が連結バー２６から一旦係合解除されると、ガイドカテーテル３１及び給送カテーテル３２を含む給送システム３０が次に患者から取り除かれる。
【００７５】
この実施例におけるガイドカテーテル３１の近位端３４には、治療中に内側内腔３３を通じて治療用流体、診断用流体又は他の流体などの流体を注入するためのフラッシュポート３６が設けられている。同様に、アダプタ３８の近位注入ポート３９は、基本的に同様の目的で送給カテーテル３２の通路４３と連通している。
【００７６】
図１１Ｅに示すように、患者の心腔６０内の分割構成部分１０の展開は、心腔を一次生産又は動作部分６１と二次実質的非生産部分６２とに分割する。動作部分６１は、元の心腔６０より小さく、駆出率の改善及び血流の改善をもたらす。時間とともに、非生産部分６２は、最初は血栓で満たされ、その後に細胞増殖で満たされる。ポリ乳酸、ポリグリコール酸、ポリカプロラクトン、共重合体及び混合物などの生体吸収性充填材を用いて、非生産部分６２を最初に充填するようにしてもよい。充填材は、ジメチルスルホキシド（ＤＭＳＯ）などの好適な溶媒中に適切に供給するようにしてもよい。組織成長あるいは血栓を促進する他の材料を非反応性充填材に加えて非生産部分６２に配置するようにしてもよい。充填材は、固体材料又は液体材料、あるいはそれらの両方を含み、非生産部分内に又は非生産部分内の室内に入れられた後に拡張する材料を含むことができる。例えば、充填材は、血管閉塞コイルなどのコイルである。
【００７７】
以下にさらに詳細に記載されるように、本明細書に記載される分割装置はまた、心臓の１つ又は複数の壁に対して密封することができ、その結果、充填するために使用される材料が漏れることがない（又は実質的に漏れることがない）。幾つかの変形例では、室（例えば、バッグ）がまた、分割装置の一部であり、非生産部分内に位置付けられて充填材によって充填される。
【００７８】
図１２は、図１１Ｅに示す展開された分割装置の上面図であり、心室壁に対して密封された膜１１の周囲を概略的に示している。これは、心腔６０の壁５９に対して効果的に密封することができない周囲１８に沿った折り目を有するストランド（又は他の拡張可能な密封要素）などの密封要素のない分割装置を表示する図１３に示す概略的な提示と比較するためである。分割装置１０は、参照することにより本明細書に取り入れられる２００４年８月５日に出願された同時係属中の出願番号第１０／９１３６０８号に記載される方法によって都合良く形成することができる。
【００７９】
多孔性のｅＰＴＦＥ材料が好ましいが、膜１１は、ナイロン、ＰＥＴ（ポリエチレンテレフタラート）及びハイトレル（Hytrel）などのポリエステルを含む好適な生体適合性高分子材料から形成してもよい。膜１１は、小孔のある性質のもので、患者の心臓内に配置後に組織の内部成長を促進する。給送カテーテル３２とガイドカテーテル３１は、ＰＥＥＫ（ポリエーテルエーテルケトン）、ポリカーボネート、ＰＥＴ、ナイロンなどの好適な高強度高分子材料から形成することができる。ブレイズ（braids）複合シャフトを使用することも可能である。
【００８０】
図１４から図１６は、膜１１の周囲のあたりに延在する拡張ストランド１９の端部２０及び２１を引っ張ることによる分割装置１０の折り畳み及び回収を示している。一般に、分割装置１０はまだ、給送カテーテル３２に固定されているが、給送カテーテルは、図面を簡単にするために示されていない。図１４では、分割装置１０は、部分的に折り畳まれた形状で示されている。図１５では、部分的に折り畳まれた分割装置１０が、回収カテーテル６４のフレア状の遠位端６３の中へ引き込まれることが示されている。図１６は、回収カテーテル６４の中へ更に引っ張られた完全に折り畳まれた分割装置１０を示している。分割装置１０は、回収カテーテル６４の内側内腔６５を通じて前記装置を引っ張ることにより引き込むことができる。随意的に、分割装置１０と回収カテーテルとを共に、患者から引き抜くようにしてもよい。
【００８１】
前記装置を患者の心腔内へ前進させて配置する間、前記装置を適切に位置付けることを補助するために、１つ又は複数のリブ１４及び／又はハブ１２の一部、例えば遠位端は、眼、超音波、Ｘ線、又は他の画像化あるいは視覚化手段による視覚化を高めるマーカを所望位置に備えていてもよい。放射線不透過性マーカは、例えば、ステンレス鋼、白金、金、イリジウム、タンタル、タングステン、銀、ロジウム、ニッケル、ビスマス、その他の放射線不透過性の金属、並びにこれらの合金及び酸化物から作ることができる。
【００８２】
図１７及び図１８は、拡張可能な密封要素を含む分割装置１０を示す別の設計を示している。この実施例では、拡張可能な密封要素は、隣接するリブ１４の間において膜１１の周囲のあたりにある複数の膨潤性物体７０、好ましくは親水性発泡体である。これらの物体が展開時に血液などの体液に接触するとき、それらは膨張することによって、前述したように、患者の心臓壁に対して膜１１の周囲部分を密封する。分割装置１０の詳細は、前述した実施形態と実質的に同一であり、この別の実施形態における要素には、前述した実施形態における同様の要素と同じ参照符号が与えられている。
【００８３】
本明細書において記載されない範囲では、分割装置及び給送システムの種々の構成部分は、当業者には明白である従来の材料及び従来の方法により形成することができる。
【００８４】
図１９Ａから図１９Ｊは、人間の心臓２４２内に展開される分割装置１３４の別の変形例の適用を示している。心臓２４２は、右心室２４４と、乳頭筋２４８と頂部２５２のある無動部２５０とを有する左心室２４６とを含む。カテーテル１３８の遠位端が、大動脈及び大動脈弁を通じて左心室２４６の中へ心臓装置１３４が展開される選択位置まで挿入されている。カテーテルチューブ１３８は次に、心臓装置１３４から部分的に引き離され、ステム１８６を露出させる。
【００８５】
能動的留め具２３６が次に、第１の方向に留め具ノブ５８を回転することにより展開される。能動的留め具２３６は、心臓２４２の心筋を貫通し、左心室２４６の無動部２５０の頂部２５２において選択位置に心臓装置１３４を固定する。幾つかの変形例では、前記装置は、能動的（例えば、遠位）留め具を有しないが、前記のように、非外傷性脚部を有する。
【００８６】
カテーテル１３８は次に、展開部材４６の遠位端５４から完全に取り除かれ、心臓装置１３４が露出する。セグメント１９２の弾力性とフレーム１８４の事前に設定された形状とによって心臓装置１３４が拡張するときに、セグメント１９２上の受動的留め具２１４が、第１の方向に心筋を貫通する。膜１９４は、心室２４６の一部を密封し、心室２４６を２つの容積に分離する。
【００８７】
心臓装置１３４が、適切に配置されない場合、あるいは特定の心臓に対して間違った大きさ又は形状から形成される場合、装置１３４は、再配置される又は心臓２４２から完全に取り除かれる。
【００８８】
図２０Ａ及び図２０Ｂは、心臓（又は分割）装置２８８の別の変形例を示す。分割装置２８８のこの実施例は、心室壁に対して密封するように作用する繊維（又はふさ飾り）３０４を有する第２の膜３００として構成される密封要素を含む。図２０Ａ及び図２０Ｂの分割装置２８８は、第１のハブ２９０と、第１のフレーム２９２と、第２のハブ２９４と、第２のフレーム２９６と、第１の膜２９８と、第２の膜３００とを含む。第１の膜２９０は、第１のフレーム２９８の中央部分に取り付けられている。複数のセグメント３０２が、第１のハブ２９０から半径方向に且つ上方へ延在する。第１の膜２９８は、閉塞し、血栓形成材料から作られ、第１の円錐形の物体を形成するためにセグメント３０２の間に広げられる。複数の繊維３０４は、第１の円錐形の物体の外縁３０６から半径方向に延在する。能動的留め具３０８は、第１のハブ２９０から下方へ延在する。
【００８９】
第２のフレーム２９６は、第２のハブ２９４から半径方向に且つ上方へ延在する複数のセグメント３１０と鋭利な受動的留め具の端部３１２とを含む。分離ねじ２１４と同様の取付ねじ３１４が、第２のハブ２９４から下方へ延在する。特に図２０Ｂを参照すると、取付ねじ３１４は、前述したフレームハブ１９０と同様に、第１のハブ２９０内のピン３２１と係合するように回転され、第１のフレーム２９２に第２のフレーム２９６を固定する。第２の膜３００は、ｅＰＴＦＥから作られ、第２の円錐形の物体を形成するために
セグメント３１０の間に広げられる。
【００９０】
図２０Ｃは、図２０Ａの分割装置２８８を有する人間の心臓を示しており、該分割装置は、人間の心臓の無動部分に固定されている。第１のフレーム２９２の外縁３０６の繊維３０４は、左心室の内面と相互作用し、第１のフレーム２９２の外縁３０６より下の容積を密閉する。第２のフレーム２９６のセグメント３１０の端部の受動的留め具３１２は、心筋を貫通し、装置２８８を所定位置に保持する。
【００９１】
この実施形態の更なる利点は、第１の膜２９８の繊維３０４が、小柱と相互作用し、無動部分の頂部の中への血液の流れをさらに防止することである。
【００９２】
本明細書に記載される分割装置の別の変形例では、前記装置は、該装置の遠位側から延在する複数のストランドを含む。従って、密封要素は、装置の非生産部分内で装置の部分から延びる複数のストランド又はブレイズを有する。これらのブレイズは、心室の内面に対して押圧し、心室内に装置を密封することを助けることができる。
【００９３】
幾つかの変形例では、密封要素は、膨張可能な密封要素である。例えば、膨張可能な密封要素は、図１７及び図１８において前述したように、膨張させるための流体で膨張する膨潤性要素であってもよい。また、前記装置は、図２１Ａから図２１Ｃに示すように、バルーンとして構成される膨張可能な密封要素を含んでいてもよい。
【００９４】
図２１Ａは、折り畳まれた形状又は給送形状にある分割装置の１つの変形例を示す。前記装置は、膜２１０９が接続される複数のリブ２１０１を含む。リブは、この実施例では無傷脚部２１１３に接続する中心ハブ２１１１に接続する。膜の周囲領域は、弁２０１５を有する膨張可能なバルーン密封要素２１０３を含む。図２１Ａでは、密封バルーン要素２１０３は、折り畳まれて示されている。前記装置は、心室内で拡張した後に膨張される、あるいは前記装置が拡張することを助けるために膨張される。前述したように、給送カテーテルは、弁と連結して前記装置を膨張させるように構成される。
【００９５】
膨張用弁２０１５は、この実施例では分割装置の周囲に示されているが、幾つかの変形例では、弁は、分割装置の（例えば、半径方向に）中心近くに位置付けられ、その結果、アプリケータの膨張ポートに取り付けられてもよい。幾つかの変形例では、分割装置は、２以上の弁を含む。
【００９６】
図２１Ｂは、（少なくとも部分的に）拡張形状にある図２１Ｃの分割装置を示しており、膜の周囲のあたりのバルーンが膨張されている。膨張可能な密封要素の膨湿性の変形例のように、バルーンは、膜の極めて周囲に位置付けられる、あるいは（例えば、前記装置の中心線の方へ）より中心に配置されるが、それでも、膜を心臓の壁に対して付勢するために圧力を加えるように構成され、それにより膜を前記壁に密封する。図２１Ｃは、インプラントリブ又は支柱２１０１の端部に受動的留め具２１１１を含む膨張可能なバルーン密封要素の部分切欠図を示している。
【００９７】
図３０Ａから図３０Ｄは、膨張可能な密封要素を有する分割装置の別の変形例を示す。この実施例では、膨張可能な密封要素は、前記装置３００１の周囲のあたりに分配される複数の膨張可能な要素３００３である。前述したように、これらの要素が膨張することにより、分割膜をともに展開した形態に拡張させることができ、また心室の壁に対して膜を密封することを助けることができる。従って、拡張可能な要素は、分割装置の周方向及び半径方向の両方の拡張を付与することができる。例えば、図３０Ａは、（周囲領域３００９を有する）分割膜３００７と複数の拡張可能且つ膨張可能な要素３００３とを表示する前記装置の上面図を示す。膨張可能な要素は、１つ又は複数の膨張チャンネル３０１１によって膨張させることができ、該膨張チャンネルは、アプリケータ又は他の膨張材料（気体、流体など）の供給源に接続されるポート及び／又は弁に接続することができる。
【００９８】
分割装置の膜の周囲又は周囲近くにある１つ又は複数の膨張可能なバルーンは、膜と同一材料から形成することができる。例えば、バルーンは、膜を形成する２つの層の間に空洞を形成することによって膜と一体的にしてもよい。例えば、膜は、織り交ぜられるｅＰＴＦＥからなる２つの層から形成してもよい。幾つかの変形例では、支柱又はアームが、２つの層の間に積層される。図３０Ａ及び図３０Ｂに示すように、膜の一部が、それらを共に密封する（薄層にする）ことを防止することにより膨張可能であってもよい。
【００９９】
１つ又は複数の膨張可能な要素は、図３０Ａに示すように、１つ又は複数の膨張チャンネル３０１１を介してポート又は弁に接続することができる。前述したように、弁は、膨張源と結合させるように適切な位置に位置付けられ得る。例えば、弁は、アプリケータと一般に結合するハブ（中心）領域に位置付けられる。１つ又は複数の膨張チャンネル（又は膨張ポート）が使用される。例えば、図３０Ａでは、前記装置は、膨張材料を膨張可能なバルーン要素の全てに分配する複数の膨張チャンネルを含む。複数の膨張可能なバルーン要素が前記装置において使用される場合、各膨張可能なバルーン要素が別々に膨張可能であってもよく、あるいは膨張可能な要素の全て（又は部分集合）が共に膨張するように共に接続されてもよい。
【０１００】
前述したように、液体（例えば、塩水）、気体、固体、ゲルなどを含むあらゆる適切な膨張材料を使用することができる。幾つかの変形例では、本明細書に記載される１つ又は複数の膨張可能な要素は、分割装置を視覚化することを助けることができる造影剤で充填することができる。例えば、膨張可能な要素は、左心室内に展開された後に分割装置の視覚化を可能にするＸ線造影剤で充填される。幾つかの変形例では、図３０Ｂに示す分割装置のように、造影剤３０３１で膨張させることにより膜の周囲を視覚化することができる。
【０１０１】
幾つかの変形例では、膨張材料は、重合可能又は硬化可能である。例えば、膨張可能な要素（例えば、バルーン要素）は、紫外線硬化材料又は高周波硬化材料を含む硬化可能材料で膨張される。例えば、充填材料は、紫外線硬化充填材料を含む。従って、アプリケータはまた、膨張可能な要素内の材料を硬化あるいは他の方法で変更するために光ファイバーケーブルなどの発光素子及び／又はエネルギー（光、熱など）を適用するエネルギー源のためのポートを含み得る。
【０１０２】
幾つかの変形例において、分割装置は、１つ又は複数の支柱を形成するために硬化材料で膨張されるチャンネル又は経路を含む。例えば、図３０Ａでは、チャンネル３０１１は、膨張可能な要素３００３をとじ込むために、あるいはただ膨張可能な支柱を形成するために膜３００７内に形成される。これらの膨張可能な支柱は、前述したように、硬化可能な材料で充填することができ、更なる構造支柱を付与することができる。例えば、前記膜が、積層によって、あるいは２つ以上の層を固定する他の方法によって形成される場合、支柱又は他の膨張可能な部材は、それらの間に（例えば、非粘着性領域に）形成される。あるいは、膨張可能な領域は、１つ又は複数の膜に取り付けられる。幾つかの変形例では、従って、分割装置は、例えば、エラストマー（例えば、室温でゴム状になるシリコーン（ＲＴＶ）のような）硬化材料を使用して生体内で形成される１つ又は複数の膨張可能な支柱を含む。幾つかの変形例では、膨張可能な支柱は、膜の遠位端の方へ、（例えば、共通のハブ領域から）半径方向に延在する。膨張可能な支柱は、図３０Ａに示すように、膨張可能なバルーン膜３００３を含む膨張可能な部材と連通する、あるいは、他の膨張可能な領域と連通しないが、終端する、又は１つ若しくは複数のポートを含む。
【０１０３】
１つ又は複数の膨張可能なバルーン要素は、前記装置の周辺縁部又は周辺縁部の近くに位置付けることができる。例えば、図３０Ａでは、膨張可能なバルーン要素は、前記装置の周辺縁部に直近位に位置付けられ、その結果、膜の一部が膨張可能な要素を超えて遠位に延在する。この縁部部分は、結び付けられておらず、鋸歯状であり、（又は複数のフラップを形成し）、心室の壁に前記装置を密封することを助ける。幾つかの変形例では、膨張可能な要素は、分割装置の周囲にある。
【０１０４】
図３０Ｂは、図３０Ａの分割装置の側面図を示し、膜の近位端の近くの膨張可能なバルーン要素を示している。
【０１０５】
使用時に、膨張可能なバルーン要素は、分割装置を開くために拡張される。例えば、膨張時に、膨張可能な要素は、前記装置の支柱の拡張を押し進め、それによって膜の半径方向の拡張を促進する。膨張可能なバルーン要素はまた、心室内で非円形の展開に適応するように構成される。図３０Ｃ及び図３０Ｄは、心臓の非円形の（又は他の不規則な）壁に適合する膨張可能なバルーン要素を含む分割装置の異なる変形例を示す。例えば、図３０Ｃでは、３００３で示される複数の膨張可能な要素は、前記装置を拡張するために、また心室壁に対して前記装置を密封するために（軸方向に）外側への力を付与するように膨張されるが、複数の膨張可能な要素はまた、膨張可能なバルーン要素を含む小区域の大きさを膜の他の部分を分離することなしに置き換えることができるので、不規則なものに適合する。図３０Ｃでは、分割装置３０２３の１つの領域は、円形ではない心臓壁の外形に従うことが可能である。例えば、心室壁の肉柱形成又は他の突出物が、それを不規則にする。同様に、体内の領域（例えば心室）が円形ではないが、長円形又は他の非円形である場合、図３０Ｄに示すような膨張可能なバルーンは、それが前記壁に適合することを可能にする。
【０１０６】
幾つかの変形例では、膨張可能なバルーンは、膜の周囲又はその近くに位置付けられない分割装置に含まれる。例えば、図３１Ａ及び図３１Ｂは、膜において（例えばハブ近くの）インプラントの中央領域が膨張可能である１つの変形例を示し、膨張は、分割装置を急速に拡張することを助けることができる。
【０１０７】
例えば、図３１Ａでは、分割装置３１０１は、膜３１０７に位置付けられる１つ又は複数の膨張可能な領域３１０３を含む。この膨張可能な１つの領域又は複数の領域はまた、前述したように、膜を形成する２つの層の間に形成することができる。例えば、膜を形成するｅＰＴＦＥからなる２つの層が、前記装置の外周３１０９の近くで密封されるが、ハブの近くで分離することができ、その結果、この領域が膨張することができる。（１つ又は複数の弁を含む）膨張のための１つ又は複数のポートをまた含むことができる。図３１Ａに示される膨張可能な要素に加えて、別の変形例ではまた、膜を心室壁に固定することを助けるための１つ又は複数の他の密封要素（例えば、ストランド、周囲の膨張可能な要素など）を含むことができる。幾つかの変形例では、膜の縁部はまた、密封を形成することを助けるために、結び付けられておらず、鋸歯状などであってもよい。
【０１０８】
図３０Ｂでは、図３０Ａの分割装置を一部透視した側面図で示している。この実施例では、（膨張可能な拡張要素又は膨張可能な拡張バルーン要素としても呼ばれる）膨張可能な要素３１０３が表示されている。これらの要素は、膜を開いて心室の壁の方へ押し進めるが、それらは、図３０Ａから図３０Ｄに示される前記装置と比べて、密封するために必ずしも膜に張力をかけないので、必ずしも密封要素ではない。それらは、前述したように、他の密封要素と組み合わせて使用してもよい。
【０１０９】
図２２Ａから図２５Ｂは、分割装置の一部を囲む容器を含み、前記装置が心腔内に展開されるときに心腔の非生産部分に配置されるように構成される前記装置の変形例を示す。例えば、図２２Ａは、インプラントがリブ又は支柱２２０３からなるフレームとフレーム２２０５に接続される膜とを含む分割装置の１つの変形例を通じた断面を示す。１つ又は複数の受動的留め具（例えば、突起、フックなど）２２１３が、各支柱の端部に位置付けられる。この実施例では、膜は、ｅＰＴＥから形成され、前記装置の受圧面を形成するために前記フレームに亘って積層される。インプラントはまた、組織壁が弱められる又は無動である場合でさえ、組織壁を貫通しないように比較的軟性の（例えば、非外傷性の）脚部２２０７を含む。この実施例では、前記装置はまた、図２２ｂに示すように、受圧膜と、前記膜の非生産部分に配置される前記装置の部分のまわりに遠位に延在する第２の膜（例えば、ｅＰＴＦＥ膜）とによって形成される容器２２３２を含む。図２２Ａ及び図２２Ｂでは、容器は、バッグとして構成され、その上部が、受圧膜２２０５によって密封される。前記装置は、容器を充填するための（弁を含み得る）１つ又は複数のポート２２０９を含む。図２２Ａでは、ポートは、容器を充填するためにそれを通じて材料が注入されるスカイブ（skives）２２０９として構成される。図２２Ｂは、心室（左心室２２２１）の中へ移植された図２２Ａの前記装置を示す。この実施例では、塩水２２２３が、容器を充填するために注入され、該容器は、左心室２２２１の頂部領域２２２５の壁に接触する。
【０１１０】
図２３Ａ及び図２３Ｂは、同様の変形例の斜視図を示す。
【０１１１】
図２４Ａは、複数のリブ又は支柱２４０５に固定された閉塞膜２４０３を含む分割装置の別の実施例である。前記装置はまた、図２２Ａから図２３Ｂに示される変形例と同様に、ｅＰＴＦＥから形成される膨張可能なバッグ状の構造である容器２４３２を含む。図２４Ａに示される実施例はまた、フラップ弁２４３５として構成される弁を含み、該弁は、それを通じて容器が充填される開口部（例えば、スカイブ）を覆うｅＰＴＦＥからなる膜である。前記膜は、充填するために開口するが、かなりの量の材料が容器から出ることができないように（例えば、弁の弾性構造によって、及び／又は、容器内からの圧力によって）付勢される。従って、容器は、インプラントハブ２４０９を通じて充填され得る。例えば、容器は、（図示しない）給送カテーテルを使用して充填されてもよい。ハブ部分２４０９と非外傷性脚部領域２４０１とは、容器内に配置されて示されている。幾つかの変形例では、容器は、脚部領域及び／又はハブを取り囲むことができるが、それらを閉じ込めない。
【０１１２】
図２４Ｂは、図２４Ａの前記装置の上面図を示しており、フラップ弁２４３５によって選択的に覆われる容器の中の開口部（スカイブ）２４０９を示している。これらの開口部はまた、心室内からの血液などの流体が配置されるとすぐに前記室の中へ入れられるように構成することができる。この実施例は、図２５Ａ及び図２５Ｂに示されている。この実施例では、前記装置は、心室２５００内に拡張されて示されている。フラップ弁は、矢印２４３９によって表示されるように、血液（例えば、心室を通じて送り出される血液）が容器２４３２に入ることができる。これは、心室内で容器を膨張させることができ、その結果、容器の壁は、心室の非生産領域、すなわち分割膜２４０３及びリブ２４０５の後方の領域の壁に適合する。例えば、心室の収縮期間中に、心室を満たしながら血液で前記装置の受圧膜が押されるとき（例えば、心臓拡張期）に、血液が室に入って充填する。心室が収縮するとき（例えば、心臓収縮期）、血液が室から出ることを防止するようにフラップ弁が構成されるので、血液は室内に保持される。室が充填された後、図２５Ｂにおいて矢印２４３９’で表示されるように、血液は室内に保持され、フラップ弁によって室から出ることを防止することができる。従って、この変形例は、それ自体で充填することができる。
【０１１３】
図２６は、前記のように室を含む分割装置などの分割装置と共に使用されるアプリケータの１つの変形例を示している。図２６では、アプリケータは、ガイドカテーテル２６０１と共に使用される給送カテーテル２６０３である。この実施例では、ガイドカテーテル２６０１は、近位端２６０４と遠位端との間に延在する内側内腔を有する。（図示しない）止血弁が、ガイドカテーテル２６０１の近位端２６０４に設けられ、給送カテーテル２６０２の外側シャフトのまわりを密封する。この実施例では、ガイドカテーテルはまた、内側内腔と流体連通するガイドカテーテル２６０１の近位端２６０４にフラッシュポート２６０６を含む。
【０１１４】
アプリケータ給送カテーテル２６０３（「アプリケータ」）は、近位端の近くに膨張ポート（例えば、展開膨張ポート２６１５）を備えた細長い外側シャフト２６１２を有する。膨張ポートは、前記装置を拡張することを助けるように構成された細長いシャフトの遠位部分にある膨張可能な部材を膨張するために使用される。この膨張可能な部材はまた、展開バルーン２６５５と呼ばれる。展開膨張ポートは、給送カテーテルの内側内腔と連通するとともに展開バルーン２６５５と連通する。
【０１１５】
アプリケータはまた、インプラント装置を解除可能に固定するために、前述したように解除可能な固定要素を含む。例えば、解除可能な固定要素は、前記図８において図示して説明したようにトルクシャフト及び螺旋コイルねじを含む。
【０１１６】
アプリケータはまた、インプラントによって形成される心臓の非生産部分を充填するために細長いシャフトの遠位端の近くに充填インターフェース２６２１を含むことができる。幾つかの変形例では、充填インターフェースは、インプラントの容器部分を膨張させる又は充填させるための膨張ポートとして構成される。充填インターフェースは、充填ポートとして構成され、たとえインプラントが容器部分を含まない場合でも、インプラントが展開された後に非生産領域を充填するために使用することができる。
【０１１７】
図２６に示されるシステム（給送カテーテル又はアプリケータ２６０３、挿入カテーテル２６０１及び拡張可能な分割装置２６０５を含む）はまた、紫外線硬化充填材料とともに使用するように構成することができる。この変形例では、アプリケータはまた、遠位端の近くに光ファイバーケーブル２６３３などの発光要素と、近位端の近くにエネルギー源のためのポート２６２３とを含み、その結果、非生産領域及び／又は容器２６０５内の充填材を硬化するためにエネルギー（例えば、紫外線光）を使用することができる。
【０１１８】
アプリケータはまた、近位端に又は近位端の近くにハンドル２６２１を有する。
【０１１９】
図２７は、分割装置２７０５と、分割装置を展開した後に前記装置の後方に形成される非生産部分の中へ閉塞部材（例えば、コイル）を給送するように構成されるアプリケータとを含むシステムの別の変形例を示している。例えば、この変形例では、アプリケータ２７００は、インプラント分離ノブ２７１１に加えて、近位端に制御ハンドル２７０１とバルーン展開膨張ポート２７０９とを含む。インプラント分離ノブを回すことによって、前述したように、（見えない）トルクシャフトを回転してインプラントを展開することができる。前記システムはまた、給送カテーテル２７０３を含む。
【０１２０】
図２７では、左心室２７１５の先端領域内で展開された分割装置２７０５が示されており、前記装置の脚部２７１７が壁に支えられ、受圧膜が心室２７１６の生産領域から離れた非生産領域２７１９を形成している。膜をリブ又は支柱で強化してもよく、また膜を（この実施例では見えないが）１つ又は複数の固定要素を介して固定するようにしてもよい。
【０１２１】
この変形例では、アプリケータはまた、非生産領域２７１９の中へ閉塞要素を加えるために使用される。図に示すように、閉塞要素は、コイル、例えば血栓形成コイル２７３３である。従って、アプリケータは、閉塞部材のためのポート及び通路を含むことができる。例えば、アプリケータは、コイル給送カテーテル２７５５を含み、またコイル分離ノブ２７５７を含む。運転中に、コイルは、展開された分割装置の背後からコイルを遠位端から押し出すことによって、拡張したインプラントの後方に給送され、この領域が所望通りに充填されるまで給送される。多数の小さいコイルもまた使用することができるが、コイルは後で分離することができる。閉塞コイルのあらゆる変形例を含むあらゆる閉塞材料を使用することができる。例えば、血栓形成コイルを非生産部分に使用することができる。
【０１２２】
図２８は、血栓形成コイルなどの閉塞材料で充填される分割装置の別の変形例を示す。この変形例では、前記装置が分離したコイル給送装置２８０５を使用して展開された後に非生産部分が充填される。コイル給送装置（例えば、コイル給送カテーテル）は、インプラントを配置して展開するためにアプリケータによって使用される同じガイドカテーテル２７０３とともに使用することができる。コイル給送カテーテルは、前記装置の縁部から充填することによって前記装置の後方の領域を充填するために使用することができ、前記装置の膜の縁部を心臓の壁から分離させることによってコイル給送装置の遠位端を非生産空間の中へ入れる。
【０１２３】
図２９Ａから図２９Ｃは、分割装置２９０１によって形成される非生産領域の一部を１つ又は複数の閉塞コイルなどの閉塞材料で充填する方法の別の変形例を示す。図２９Ａは、受圧膜２９０５によって少なくとも１つの側に境界のあるポーチ又はバッグとして構成される容器２９０３を含む分割装置２９０１の１つの変形例を示す。受圧膜２９０５は、支柱２９０７によって支持することができる。幾つかの変形例では、容器は、受圧膜による境界がない。インプラント脚部２９１２は、（バッグ又はポートとしても呼ばれる）容器内にある。
【０１２４】
運転中に、前記装置は、心腔（例えば、左心室２９５０）内に展開することができ、容器は、閉塞材料で充填することができる。例えば、図２９Ｂは、閉塞コイル２９１５で充填された図２９Ａの分割装置を示している。前記装置が心臓内に固定されるとき、図２９Ｃに図示するように、容器は、（充填された容器によって）非生産部分全体が実質的に充填されるように充填される。
【０１２５】
本発明の特定の形態をここに図示して記載しているが、本発明に対して種々の変形及び改良を加えることができることは明らかであろう。さらに、本発明の実施形態の個別の特徴を一部の図面では示し、他の図面では示していないが、当業者は本発明の１つの実施形態の個別の特徴を別の実施形態の任意又はすべての特徴と組み合わせることができることを認識するであろう。従って、本発明は、説明される特定の実施形態に限定されることを意図するものではない。添付される特許請求の範囲によって規定される本発明は従来技術と同様に広範に認められることを意図するものである。
【０１２６】
「要素」、「部材」、「構成部分」、「装置」、「部」、「部分」、「ステップ」、「手段」などの用語及び同様の意味の用語は、本明細書において使用される場合、以下の請求項が、特定の構造なしに特定の機能が後に続く「手段」という用語又は特定の作用なしに特定の機能が後に続く「ステップ」という用語を明示的に使用している場合を除き、合衆国法典第３５編第１１２条第６段落の規定に従って解釈されてはならない。従って、本発明は、添付される請求項による場合を除いて、本発明は限定されないことを意図するものである。本明細書において言及される全ての特許及び特許出願は、全体として言及することにより本明細書に組み入れられる。
【図１】
2012523267.tif 000003
【図２】
2012523267.tif 000004
【図３】
2012523267.tif 000005
【図４】
2012523267.tif 000006
【図５】
2012523267.tif 000007
【図６】
2012523267.tif 000008
【図７】
2012523267.tif 000009
【図８】
2012523267.tif 000010
【図９】
2012523267.tif 000011
【図１０】
2012523267.tif 000012
【図１１Ａ】
2012523267.tif 000013
【図１１Ｂ】
2012523267.tif 000014
【図１１Ｃ】
2012523267.tif 000015
【図１１Ｄ】
2012523267.tif 000016
【図１１Ｅ】
2012523267.tif 000017
【図１２】
2012523267.tif 000018
【図１３】
2012523267.tif 000019
【図１４】
2012523267.tif 000020
【図１５】
2012523267.tif 000021
【図１６】
2012523267.tif 000022
【図１７】
2012523267.tif 000023
【図１８】
2012523267.tif 000024
【図１９Ａ】
2012523267.tif 000025
【図１９Ｂ】
2012523267.tif 000026
【図１９Ｃ】
2012523267.tif 000027
【図１９Ｄ】
2012523267.tif 000028
【図１９Ｅ】
2012523267.tif 000029
【図１９Ｆ】
2012523267.tif 000030
【図１９Ｇ】
2012523267.tif 000031
【図１９Ｈ】
2012523267.tif 000032
【図１９Ｉ】
2012523267.tif 000033
【図１９Ｊ】
2012523267.tif 000034
【図１９Ｋ】
2012523267.tif 000035
【図２０Ａ】
2012523267.tif 000036
【図２０Ｂ】
2012523267.tif 000037
【図２０Ｃ】
2012523267.tif 000038
【図２１Ａ】
2012523267.tif 000039
【図２１Ｂ】
2012523267.tif 000040
【図２１Ｃ】
2012523267.tif 000041
【図２２Ａ】
2012523267.tif 000042
【図２２Ｂ】
2012523267.tif 000043
【図２３Ａ】
2012523267.tif 000044
【図２３Ｂ】
2012523267.tif 000045
【図２４Ａ】
2012523267.tif 000046
【図２４Ｂ】
2012523267.tif 000047
【図２５Ａ】
2012523267.tif 000048
【図２５Ｂ】
2012523267.tif 000049
【図２６】
2012523267.tif 000050
【図２７】
2012523267.tif 000051
【図２８】
2012523267.tif 000052
【図２９Ａ】
2012523267.tif 000053
【図２９Ｂ】
2012523267.tif 000054
【図２９Ｃ】
2012523267.tif 000055
【図３０Ａ】
2012523267.tif 000056
【図３０Ｂ】
2012523267.tif 000057
【図３０Ｃ】
2012523267.tif 000058
【図３０Ｄ】
2012523267.tif 000059
【図３１Ａ】
2012523267.tif 000060
【図３１Ｂ】
2012523267.tif 000061
【国際調査報告】
2012523267.tif 000062
2012523267.tif 000063
2012523267.tif 000064